(57)【要約】【課題】  専用のツール等を使うことなく、通信端末から文字データを入力するだけで容易に文字がアニメーションする動画データを自動的に作成し、他の通信端末に配信することにより視認可能にする動画配信システムを提供すること【解決手段】  本発明にかかる動画配信システムは、第１の通信端末１００よりサーバー５００を介して第２の通信端末２００に対して文字がアニメーションする動画データを送信する動画配信システムである。サーバー５００は、第１の通信端末１００から情報を受信する受信手段と、文字がアニメーションする動画データを自動作成するデータ作成手段と、情報を第２の通信端末２００に送信する送信手段を備える。このような構成により、利用者は専用のツール等を使うことなく、テキストによる文字データを入力するだけで容易に文字がアニメーションする動画を指定した相手に送信することができる。【選択図】図２
2005173792.tif 000002
【特許請求の範囲】
【請求項１】
第１の通信端末よりサーバーを介して第２の通信端末に対して文字がアニメーションする動画データを送信する動画配信システムであって、
前記第１の通信端末は、アニメーションする文字データ、伝達情報、前記第２の通信端末に対応するアドレス情報及び背景画像情報を入力する入力手段と、入力された文字データ、背景画像情報、アドレス情報及び伝達情報を前記サーバーに送信する送信手段を備え、
前記サーバーは、前記第１の通信端末から送信された文字データ、背景画像情報、アドレス情報及び伝達情報を受信する受信手段と、当該受信手段により受信された文字データ、背景画像情報、伝達情報に基づいて、前記第２の通信端末の動画再生手段に対応した動画形式で文字がアニメーションする動画データを自動作成するデータ作成手段と、前記データ作成手段により作成された動画データを記憶する記憶手段と、前記記憶手段上の動画データの所在情報を前記アドレス情報に基づいて第２の通信端末に送信する送信手段を備え、
前記第２の通信端末は、前記サーバーより前記動画データの所在情報を受信して当該所在情報に基づいて前記サーバーの記憶手段上の動画データを受信する受信手段と、前記受信手段により受信した動画データを再生するデータ再生手段を備えた動画配信システム。
【請求項２】
第１の通信端末よりサーバーを介して第２の通信端末に対して文字がアニメーションする動画データを送信する動画配信システムであって、
前記第１の通信端末は、アニメーションする文字データ、伝達情報、前記第２の通信端末に対応するアドレス情報及び背景画像情報を入力する入力手段と、入力された文字データ、背景画像情報、アドレス情報及び伝達情報を前記サーバーに送信する送信手段を備え、
前記サーバーは、前記第１の通信端末から送信された文字データ、背景画像情報、アドレス情報及び伝達情報を受信する受信手段と、当該受信手段により受信された文字データ、背景画像情報、伝達情報に基づいて前記第２の通信端末の動画再生手段に対応した動画形式で文字がアニメーションする動画データを自動作成するデータ作成手段と、前記データ作成手段により作成された動画データを記憶する記憶手段と、前記記憶手段上の動画データを前記アドレス情報に基づいて第２の通信端末に送信する送信手段を備え、
前記第２の通信端末は、前記サーバーより前記動画データを受信する受信手段と、前記受信手段により受信した動画データを再生するデータ再生手段を備えた動画配信システム。
【請求項３】
前記第１の通信端末と前記サーバーは電子メールにより送受信を行い、前記入力手段において、前記文字データはサブジェクト欄に入力し、前記伝達情報はメール本文欄に入力し、前記背景画像情報はメールに添付することを特徴とする請求項１又は２記載の動画配信システム。
【請求項４】
前記第１の通信端末と前記サーバーは電子メールにより送受信を行い、
前記第２の通信端末に対応するアドレス情報は、前記第２の通信端末に送信するためのメールアドレスのアカウント名を含み、
前記第１の通信端末から前記サーバーに対して送信される電子メールのメールアドレスは、前記第２の通信端末に送信するためのメールアドレスのアカウント名と当該サーバーに対して送信するためのホスト名及びドメイン名を含み、
前記サーバーは、前記電子メールの宛先メールアドレスに含まれるアカウント名を抽出し、当該アカウント名と第２の通信端末固有のホスト名及びドメイン名を組み合わせることによって第２の通信端末に送信するためのアドレス情報を生成する生成手段を備えたことを特徴とする請求項１、２又は３記載の動画配信システム。
【請求項５】
前記第１の通信端末の入力手段は、さらに、動画データのアニメーションパターン情報を入力し、前記第１の通信端末の送信手段は、当該アニメーションパターン情報を送信し、
前記サーバーの受信手段は、前記アニメーションパターン情報を受信し、前記サーバーのデータ作成手段は、前記第１の通信端末から送信された文字データ、背景画像情報及び伝達情報に加えてさらに当該アニメーションパターン情報に基づいて動画データを作成することを特徴とする請求項１、２、３又は４記載の動画配信システム。
【請求項６】
前記サーバーは、前記第１の通信端末から送信された伝達情報の中からキーワードを抽出することにより、動画データの文字アニメーションパターンを決定するアニメーションパターン決定手段をさらに備えたことを特徴とする請求項１、２、３又は４記載の動画配信システム。
【請求項７】
前記第１の通信端末より送信された背景画像情報は、背景画像を特定する背景画像特定情報であり、
前記サーバーは、当該背景画像特定情報を受信して、当該サーバーの記憶手段に格納された背景画像情報のうち当該背景画像特定情報に対応する背景画像情報を読み出して、動画データを生成することを特徴とする請求項１乃至６いずれかに記載の動画配信システム。
【請求項８】
前記第１の通信端末及び第２の通信端末は携帯電話であることを特徴とする請求項１乃至７いずれかに記載の動画配信システム。
【請求項９】
前記動画形式はフラッシュであることを特徴とする請求項１乃至８いずれかに記載の動画配信システム。
【請求項１０】
第１の通信端末の要求に基づいて第２の通信端末に対して文字がアニメーションする動画データを送信する動画配信サーバーであって、
前記第１の通信端末から送信された文字データ、背景画像情報、アドレス情報及び伝達情報を受信する受信手段と、
当該受信手段により受信された文字データ、背景画像情報、伝達情報に基づいて前記第２の通信端末の動画再生手段に対応した動画形式で文字がアニメーションする動画データを自動作成するデータ作成手段と、
前記データ作成手段により作成された動画データを記憶する記憶手段と、
前記記憶手段上の動画データの所在情報を前記アドレス情報に基づいて第２の通信端末に送信する送信手段とを備えた動画配信サーバー。
【請求項１１】
第１の通信端末の要求に基づいて第２の通信端末に対して文字がアニメーションする動画データを送信する動画配信サーバーであって、
前記第１の通信端末から送信された文字データ、背景画像情報、アドレス情報及び伝達情報を受信する受信手段と、
当該受信手段により受信された文字データ、背景画像情報、伝達情報に基づいて前記第２の通信端末の動画再生手段に対応した動画形式で文字がアニメーションする動画データを自動作成するデータ作成手段と、
前記データ作成手段により作成された動画データを記憶する記憶手段と、
前記記憶手段上の動画データを前記アドレス情報に基づいて第２の通信端末に送信する送信手段とを備えた動画配信サーバー。
【請求項１２】
前記動画形式はフラッシュであることを特徴とする請求項１０または１１に記載の動画配信サーバー。
【発明の詳細な説明】
【技術分野】
【０００１】
本発明は、動画配信システムに関するものであり、より詳細には、専用のツール等を使うことなく簡単な手順で、送信側端末から入力したメッセージがサーバーを介することにより、文字の位置や形態が変化していく、つまり文字がアニメーションする動画データが作成され、受信側端末から視認可能になる動画配信システムに関するものである。
【背景技術】
【０００２】
インターネット回線は近年、高速化が著しく進んでおり、その結果、多くのデータ量の情報を短時間で送受信できるようになった。それに伴い、インターネットで見ることのできるホームページも、データ容量を多く必要とする画像や映像などが使われているページが増えてきており、特にデータ量を多く必要とする動画データの配信も多く行われるようになってきた。
【０００３】
このような動画配信の普及は、高性能のＰＣ（Ｐｅｒｓｏｎａｌ  Ｃｏｍｐｕｔｅｒ）だけではなく、ＰＤＡ（Ｐｅｒｓｏｎａｌ  Ｄｉｇｉｔａｌ  Ａｓｓｉｓｔａｎｔ）や携帯電話等の持ち運び可能な小型端末にも広まるようになってきた。ついには、携帯電話でも動画再生をすることができる端末が出てくるようになり、最近では、携帯電話同士でも動画ファイルを電子メールに添付して送受信できる機種が増えてきている。そうした中、インターネット回線を通じてＰＣや携帯電話間での動画配信システムが提案されている（例えば、特許文献１など）。
【０００４】
インターネット上での動画配信の手段の一つとしてフラッシュ（ＦＬＡＳＨ：登録商標）がある。フラッシュはアニメーションやインタラクティブな要素を設定できるマクロメディア社のマルチメディアテクノロジーであり、再生ソフトが無料で手に入ることやフラッシュ再生機能を標準実装したインターネットブラウザが登場したこと、ファイルフォーマットがオープン化されたこと、フラッシュプレーヤーのソースコードの公開などもあり近年、インターネット上のアニメーションツールとして急速に普及してきている。最近では、携帯電話でのフラッシュ再生ツールが登場し、ついにはフラッシュ対応機能が標準機能として実装されている携帯電話が登場したこともあり、フラッシュの普及はさらに広まりつつある。
【特許文献１】特開２００３−２５６３４５号公報
【発明の開示】
【発明が解決しようとする課題】
【０００５】
インターネットは近年、ＰＣのみならず、携帯電話にまで急速に普及しており、写真や動画等も携帯電話のみで撮影し電子メールで送ることができるようになった。とはいえ、電子メールの本文は未だにテキストデータが主流であり、文章は冷めた感じのものになってしまっていた。そんな制約の中、携帯電話での電子メール利用者は絵文字や顔文字を駆使してテキストの文章に感情を込めようと努力してきた。しかし、絵文字や顔文字で感情を表現したところで、文章そのものはテキストデータのままであり、文章そのものに動きや演出等をつけて感情を表現するということはできなかった。
【０００６】
他方、インターネット上での動画配信は急速に普及してきている。とはいえ、動画を手軽に見られるようにはなったものの、動画データの作成はカメラを用いて撮影されたもの以外は作成が困難である。例えば、上述のような文章のテキストデータに動きや演出をつけて動画として表現する、ということは再生できる環境はあるもののその動画作成は手間のかかるものであった。特にＰＣ以外の、例えば携帯電話などの、端末での動画作成はカメラ録画以外の手段ではツールなどの環境も整っておらず、かなり難しい状況である。フラッシュ等の場合、ＰＣ上で専用のツールがあるとはいえ、動画作成にはある程度の手間と技術が必要となる。
【０００７】
本発明はこのような問題点を解決するためになされたものであり、専用の動画作成ツール等を利用することなく、通信端末から文章を入力するだけで容易に文字がアニメーションする動画データを自動的に作成し、他の通信端末に配信する動画配信システムを提供することを目的とする。
【課題を解決するための手段】
【０００８】
本発明にかかる動画配信システムは、第１の通信端末よりサーバーを介して第２の通信端末に対して文字がアニメーションする動画データを送信する動画配信システムであって、前記第１の通信端末は、アニメーションする文字データ、伝達情報、前記第２の通信端末に対応するアドレス情報及び背景画像情報を入力する入力手段と、入力された文字データ、背景画像情報、アドレス情報及び伝達情報を前記サーバーに送信する送信手段を備え、前記サーバーは、前記第１の通信端末から送信された文字データ、背景画像情報、アドレス情報及び伝達情報を受信する受信手段と、当該受信手段により受信された文字データ、背景画像情報、伝達情報に基づいて前記第２の通信端末の動画再生手段に対応した動画形式で文字がアニメーションする動画データを自動作成するデータ作成手段と、前記データ作成手段により作成された動画データを記憶する記憶手段と、前記記憶手段上の動画データの所在情報を前記アドレス情報に基づいて第２の通信端末に送信する送信手段を備え、前記第２の通信端末は、前記サーバーより前記動画データの所在情報を受信して当該所在情報に基づいて前記サーバーの記憶手段上の動画データを受信する受信手段と、前記受信手段により受信した動画データを再生するデータ再生手段を備えた動画配信システムである。このような構成により、利用者はテキストの文字データを入力するだけで容易に文字がアニメーションする動画を指定した相手に送信することができる。
【０００９】
本発明にかかる動画配信システムは、第１の通信端末よりサーバーを介して第２の通信端末に対して文字がアニメーションする動画データを送信する動画配信システムであって、前記第１の通信端末は、アニメーションする文字データ、伝達情報、前記第２の通信端末に対応するアドレス情報及び背景画像情報を入力する入力手段と、入力された文字データ、背景画像情報、アドレス情報及び伝達情報を前記サーバーに送信する送信手段を備え、前記サーバーは、前記第１の通信端末から送信された文字データ、背景画像情報、アドレス情報及び伝達情報を受信する受信手段と、当該受信手段により受信された文字データ、背景画像情報、伝達情報に基づいて前記第２の通信端末の動画再生手段に対応した動画形式で文字がアニメーションする動画データを自動作成するデータ作成手段と、前記データ作成手段により作成された動画データを記憶する記憶手段と、前記記憶手段上の動画データを前記アドレス情報に基づいて第２の通信端末に送信する送信手段を備え、前記第２の通信端末は、前記サーバーより前記動画データを受信する受信手段と、前記受信手段により受信した動画データを再生するデータ再生手段を備えた動画配信システムである。このような構成により、利用者はテキストの文字データを入力するだけで容易に文字がアニメーションする動画を指定した相手に送信することができる。
【００１０】
上述の第１の通信端末とサーバーは電子メールにより送受信を行い、前記入力手段において、前記文字データはサブジェクト欄に入力し、前記伝達情報はメール本文欄に入力し、前記背景画像情報はメールに添付することを特徴としてもよい。これにより、利用者は既存の電子メールソフトを利用して、容易に文字がアニメーションする動画を送信することが可能となる。
【００１１】
上述の第１の通信端末とサーバーは電子メールにより送受信を行い、前記第２の通信端末に対応するアドレス情報は、前記第２の通信端末に送信するためのメールアドレスのアカウント名を含み、前記第１の通信端末から前記サーバーに対して送信される電子メールのメールアドレスは、前記第２の通信端末に送信するためのメールアドレスのアカウント名と当該サーバーに対して送信するためのホスト名及びドメイン名を含み、前記サーバーは、前記電子メールの宛先メールアドレスに含まれるアカウント名を抽出し、当該アカウント名と第２の通信端末固有のホスト名及びドメイン名を組み合わせることによって第２の通信端末に送信するためのアドレス情報を生成する生成手段を備えたことを特徴としてもよい。こうすることにより、利用者は送信先のメールアドレスを個別に入力することがなくなるので、入力の手間が緩和される。
【００１２】
上述の第１の通信端末の入力手段は、さらに、動画データのアニメーションパターン情報を入力し、前記第１の通信端末の送信手段は、当該アニメーションパターン情報を送信し、前記サーバーの受信手段は、前記アニメーションパターン情報を受信し、前記サーバーのデータ作成手段は、前記第１の通信端末から送信された文字データ、背景画像情報及び伝達情報に加えてさらに当該アニメーションパターン情報に基づいて動画データを作成することを特徴としてもよい。こうすることにより、利用者は簡単なパターン情報を入力するだけで、複雑に文字がアニメーションする動画データを送信することが可能となる。
【００１３】
上述のサーバーは、前記第１の通信端末から送信された伝達情報の中からキーワードを抽出することにより、動画データの文字アニメーションパターンを決定するアニメーションパターン決定手段をさらに備えたことを特徴としてもよい。こうすることにより、利用者はメール本文に入力した内容と同様の感情を文字アニメーションの動きとして表現し、相手により感情を込めた文字アニメーション動画を送信することができる。
【００１４】
上述の第１の通信端末より送信された背景画像情報は、背景画像を特定する背景画像特定情報であり、前記サーバーは、当該背景画像特定情報を受信して、当該サーバーの記憶手段に格納された背景画像情報のうち当該背景画像特定情報に対応する背景画像情報を読み出して、動画データを生成することを特徴としてもよい。こうすることにより、利用者は背景画像ファイルを送信せずに背景画像付きの動画を送信することができ、容量の節約になる。
【００１５】
上述の第１の通信端末及び第２の通信端末は携帯電話であることを特徴としてもよい。これにより、利用者は携帯電話圏内のどこにいても、用意に文字がアニメーションする動画データを送信することが可能となる。
【００１６】
上述の動画形式はフラッシュであることを特徴としてもよい。これにより、利用者は、既存のフラッシュ再生手段を用いて動画データを容易に再生することが可能となる。
【００１７】
本発明にかかる動画配信サーバーは、第１の通信端末の要求に基づいて第２の通信端末に対して文字がアニメーションする動画データを送信する動画配信サーバーであって、前記第１の通信端末から送信された文字データ、背景画像情報、アドレス情報及び伝達情報を受信する受信手段と、当該受信手段により受信された文字データ、背景画像情報、伝達情報に基づいて前記第２の通信端末の動画再生手段に対応した動画形式で文字がアニメーションする動画データを自動作成するデータ作成手段と、前記データ作成手段により作成された動画データを記憶する記憶手段と、前記記憶手段上の動画データの所在情報を前記アドレス情報に基づいて第２の通信端末に送信する送信手段とを備えた動画配信サーバーである。このような構成により、利用者はテキスト形式の文字データを入力するだけで容易に文字がアニメーションする動画データを指定した相手に送信することができる。
【００１８】
本発明にかかる動画配信サーバーは、第１の通信端末の要求に基づいて第２の通信端末に対して文字がアニメーションする動画データを送信する動画配信サーバーであって、前記第１の通信端末から送信された文字データ、背景画像情報、アドレス情報及び伝達情報を受信する受信手段と、当該受信手段により受信された文字データ、背景画像情報、伝達情報に基づいて前記第２の通信端末の動画再生手段に対応した動画形式で文字がアニメーションする動画データを自動作成するデータ作成手段と、前記データ作成手段により作成された動画データを記憶する記憶手段と、前記記憶手段上の動画データを前記アドレス情報に基づいて第２の通信端末に送信する送信手段とを備えた動画配信サーバーである。このような構成により、利用者はテキスト形式の文字データを入力するだけで容易に文字がアニメーションする動画データを指定した相手に送信することができる。
【００１９】
上述の動画形式はフラッシュであることを特徴としてもよい。これにより、利用者は、既存のフラッシュ再生手段を用いて動画データを容易に再生することが可能となる。
【発明の効果】
【００２０】
本発明によれば、専用のツール等を利用することなく、送信側端末に入力された文字データからサーバーが、文字がアニメーションする動画データを容易に作成でき、受信側端末にて視認可能な動画配信システムを提供することが可能となる。
【発明を実施するための最良の形態】
【００２１】
発明の実施の形態１．
図１は本発明の実施の形態１にかかる全体構成図の一例である。送信者１が受信者２に文字がアニメーションする動画データを送る場合について考える。通信端末１００は送信者１が利用することのできる通信端末で、例えば携帯電話等であり、インターネット回線に接続して、メールやインターネット等のサーバーと通信する機能と文章を入力する機能を有する。この時の通信機能は有線でも無線でもよいが、携帯電話の場合は無線通信である。
【００２２】
通信端末２００は、受信者２が利用することのできる通信端末であって、通信端末１００同様に携帯電話等であり、インターネット回線に接続して、メールやインターネット等のサーバーと通信する機能と、サーバー５００により作成されるファイル形式の動画データを再生する動画再生機能を有する。ここではファイル形式をフラッシュとするが、ＭＰＥＧ（Ｍｏｂｉｎｇ  Ｐｉｃｔｕｒｅｓ  Ｅｘｐｅｒｔｓ  Ｇｒｏｕｐ）などの他の動画形式を利用してもよい。
【００２３】
サーバー５００は、専用のサーバーであり、インターネット回線を通じて無線通信端末１００、２００とデータを送受信する通信機能と、受信したデータから通信端末２００で再生可能なファイル形式の動画を作成する動画作成機能、作成したデータを記憶する記憶手段とを有する。
【００２４】
送信者１が受信者２へ文字がアニメーションする動画データを送りたい場合、まず送信者１は通信端末１００へアニメーションさせたい文字データと背景画像とアニメーションパターンを入力し、サーバー５００へメールを送信する。サーバー５００は、受信したメールの情報を元に文字がアニメーションする動画データを作成し、作成されたファイル又はファイルにアクセスするための情報を受信者２へメールで送信する。このときのファイルにアクセスするための情報は、例えば、動画ファイルにリンクされたＨＴＭＬ（Ｈｙｐｅｒ  Ｔｅｘｔ  Ｍａｒｋｕｐ  Ｌａｎｇｕａｇｅ）ファイル及びその所在が記述されたＵＲＬ（Ｕｎｉｖｅｒｓａｌ  Ｒｅｓｏｕｒｃｅ  Ｌｏｃａｔｏｒ）等であるが、専用のアプリケーション等でもよい。受信者２は通信端末２００からサーバー５００のメールを受信し、添付ファイル又は送られた情報からファイルへアクセスすることにより文字アニメーション動画が再生される。以下にその構成や手順の詳細について述べる。
【００２５】
図２を用いて、通信端末１００、通信端末２００、サーバー５００の構成について説明する。図２は通信端末１００、通信端末２００、サーバー５００の構成を示すブロック図である。図２に示されるように通信端末１００は、制御手段１０１、通信手段１０２、入力手段１０３、出力手段１０４を備えている。制御手段１０１は通信手段１０２、入力手段１０３、出力手段１０４のそれぞれと接続されている。
【００２６】
制御手段１０１は、当該通信端末１００における各種の制御を実行するものであり、例えば、ＣＰＵ（Ｃｅｎｔｒａｌ  Ｐｒｏｃｅｓｓｏｒ  Ｕｎｉｔ）等により構成される。通信手段１０２はインターネット回線等を通して、データの送受信をするものであり、通信処理回路等により構成される。無線通信の場合はアンテナ等もこれに加わる。入力手段１０３はデータ入力の場合にはキーボードや入力用ボタン、音声入力の場合にはマイクロフォン等、画像入力の場合にはカメラ等である。本発明の実施の形態１では文章を入力するので、キーボードや入力用ボタンを備えることが望ましい。出力手段１０４は、液晶ディスプレイ等であり入力されたデータやインターネットから受信してきた情報を画面に表示するものである。
【００２７】
通信端末２００は制御手段２０１、通信手段２０２、入力手段２０３、出力手段２０４を備えており、これらの機能については通信端末１００と同様なので説明を省略する。さらに通信端末２００は動画再生手段２０５を備える。動画再生手段２０５はサーバー５００から受信した動画データを再生するもので、専用のプロセッサ等で行ってもよいし、制御手段２０１が専用のプログラムを利用して代わりに行ってもよい。
【００２８】
サーバー５００は制御手段５０１、通信手段５０２、データ作成手段５０３、記憶手段５０４を有する。制御手段５０１は通信手段５０２、データ作成手段５０３、記憶手段５０４のそれぞれと接続されている。制御手段５０１は当該サーバー５００における各種の制御を実行するものであり、例えば、ＣＰＵ等により構成される。通信手段５０２はインターネット回線を通して、データの送受信をするものであり、通信処理回路等により構成される。データ作成手段５０３は通信端末１００から受信した文章や背景データ等からフラッシュによる動画データを作成するものである。記憶手段５０４は、データ作成手段５０３により作成された動画データや動画データの存在場所にリンクするＨＴＭＬファイル等を保存しておくものである。
【００２９】
続いて、図３に示すフローチャートを用いて、本発明にかかる通信端末１００の処理について説明する。ここでは通信端末１００をインターネット回線に接続する機能を有する携帯電話とするが、ＰＣ等の、インターネット回線に接続する機能を有する他の通信端末でもよい。
【００３０】
まず、メールソフトを起動する（Ｓ３０１）。この時のメールソフトは、携帯電話に標準的に内蔵されているメールソフトを利用するが別のメールソフトを利用してもよい。送信者１は受信者２に送りたい文字データを、入力手段１０３を利用して入力する（Ｓ３０２）。ここで入力する文字データは、後に作成される文字アニメーション動画ファイルの容量や画面サイズの制約上、１５文字以内程度のあまり長くない文字データが望ましい。この文字データはメールのサブジェクトとして入力するが、サーバー側に、どの部分の文字データがアニメーションに使われるかということが理解できれば、本文の先頭等のサブジェクト以外の箇所に入力してもよい。
【００３１】
このとき、背景として画像ファイルを添付することができる（Ｓ３０３）。添付する画像ファイルは携帯電話に内蔵されているカメラ等で撮影した画像ファイルを利用してもよいし、予め用意されている背景画像ファイルを選択できるようにしてもよい。また、このときの背景画像は静止画に限らず動画ファイルを添付または選択できるようにしてもよい。この場合、文字の動画アニメーションと同時に背景も動く動画ファイルとなる。
【００３２】
続いて、本文を入力する（Ｓ３０４）。ここで入力した本文は、文章内のキーワードを文字アニメーションの動くパターンを決定する資料として利用される。同時にそのまま受信者２に本文の内容を伝えてもよい。
【００３３】
入力された上記のデータは、出力手段１０４にてディスプレイ上の出力等を利用して確認する。送信内容のイメージは図９のようになる。データの入力が全て完了したら（Ｓ３０５）、通信手段１０２を用いてデータをサーバー５００へ送信する（Ｓ３０６）。ここでは通常のメールを利用してサーバー５００へ送信を行う。即ち、メールサーバーを介してデータがサーバーへ送られる。
【００３４】
ここでの送信先は送信先メールアドレスの「＠」以下をホスト名及びドメイン名にしておき、「＠」より前は受信者のメールアドレスの「＠」より前のアカウント名を指定する。例えば、受信者のメールアドレスを「Ｂｃｈａｎ＠ｄｏｃｏｍｏ．ｎｅ．ｊｐ」、サーバーのドメイン名を「ｍｏｊｉｍｏｊｉ．ｎｅ．ｊｐ」とすると送信者が実際に送信するメールアドレスは「Ｂｃｈａｎ＠ｍｏｊｉｍｏｊｉ．ｎｅ．ｊｐ」となる。こうすることによりサーバーはメールを受信することができ、しかも受信者のメールアドレスを知ることができる。この方法は送信先メールアドレスの「＠」以下のホスト名及びドメイン名が「ｄｏｃｏｍｏ．ｎｅ．ｊｐ」のように決まっている場合に有効であり、「＠」以下が固定でない場合は、メール本文等特定の箇所に送信先アドレスを入力する必要がある。
【００３５】
続いて、図４に示すフローチャートを用いて、本発明にかかるサーバー５００の処理について説明する。ここでは、ファイルにアクセスするための情報は、動画ファイルにリンクされたＨＴＭＬファイルとする。
【００３６】
サーバー５００内の通信手段５０２が通信端末１００からのデータを受け取ると（Ｓ４０１）、制御手段５０１は、受け取ったデータを文字アニメーション作成に必要なデータに分類する（Ｓ４０２）。この時のデータは、文字アニメーションするテキストデータと背景用画像データとアニメーションの動作を決定するパターンデータである。テキストデータはメールのサブジェクト、背景画像データは添付の画像ファイル、パターンデータはメール本文の文章から抽出したパターンで、本文の文章内のキーワードにより決定される。
【００３７】
パターンデータの決定は次のようにして行う。まず、用意されたパターンを感情と度合いに分類する。そして、メール本文の中から感情にあたるキーワードを抽出する。例えば、「バンザイ」なら「喜び」の感情、「ありがとう」なら「感謝」の感情、「ごめんね」なら「お詫び」の感情、等である。さらに、本文の中から度合いにあたるキーワードを抽出する。例えば、「超」なら「度合い高」、「まずまず」なら「度合い中」、「ちょっと」なら「度合い低」等である。そして、感情と度合いの組み合わせからアニメーションのパターンを決定する。
【００３８】
データが分類されると制御手段５０１はデータ作成手段５０３に動画データ作成の指示を出し、データ作成手段５０３はそれぞれのデータからフラッシュによる文字アニメーション動画データを作成する（Ｓ４０３）。ここで作成されるファイルはｓｗｆ形式であり、フラッシュ独自フォーマットのバイナリデータである。フラッシュの動画データは、背景画像データと、アニメーションする文字のテキストデータ、前記テキストデータを動かすための予め用意されたアニメーションパターンのベクタデータ等を組み合わせて、ファイル情報やフレーム情報などを記録したヘッダファイルを付加することにより作成される。ここで、サーバー５００内のデータ作成手段５０３はフラッシュのフォーマットに対応したデータを自動的に作成するので専用のデータ作成ツール等を必要としない。
【００３９】
フラッシュファイルが作成されると、サーバー５００内の記憶手段５０４に記憶され、続いてフラッシュファイルにアクセスするためのＨＴＭＬファイルが作成される（Ｓ４０４）。ＨＴＭＬファイルは先ほどのフラッシュファイルにリンクがある、フラッシュが再生できる端末でＨＴＭＬファイルを閲覧し、リンクをクリックすると、フラッシュファイルが自動的に再生されるようになっている。
【００４０】
作成されたＨＴＭＬファイルはフラッシュファイルと同様にサーバー５００内の記憶手段５０４に記憶され、制御手段５０１は通信端末２００へ、前記ＨＴＭＬファイルへアクセスできるＵＲＬをメールで送るように、通信手段５０２へ指示を出し、通信手段５０２は制御手段５０１からの指示を受け、通信端末２００へメールを送信する（Ｓ４０５）。
【００４１】
続いて、図５に示すフローチャートを用いて、本発明にかかる通信端末２００の処理について説明する。
【００４２】
通信端末２００内の通信手段２０２がサーバー５００からのメールを受信すると（Ｓ５０１）、メールにはＨＴＭＬファイルへアクセスするためのＵＲＬがテキストで記入されている。受信者２は記入されたＵＲＬをクリックし、ＨＴＭＬファイルへアクセスする（Ｓ５０２）。ＨＴＭＬファイルにはフラッシュファイルへのリンクがあり、アクセスすることにより、フラッシュファイルが自動的に読み込まれる（Ｓ５０３）。フラッシュファイルの読み込みが終了すると、動画再生手段２０５はフラッシュの文字アニメーションの動画データを自動的に再生する（Ｓ５０４）。
【００４３】
このような手順で送信者１はテキスト文字データと背景画像を入力するだけで容易に、受信者２へ文字がアニメーションする動画データを送ることができる。
【００４４】
発明の実施の形態２．
図３における通信端末１００の処理の代わりに、図６における通信端末１００の処理を利用した例である。この場合、メールを使わずに専用アプリケーションで直接文字データを入力し、背景画像とアニメーションパターンを選ぶので細かな入力を行うことが可能になる。
【００４５】
まず、送信者１は専用のアプリケーションを起動する（Ｓ６０１）。専用のアプリケーションは予め、インターネット上でダウンロードしてあるものとする。この時のアプリケーションファイルは前記サーバー５００内の記憶手段５０４に置いておき、そこからダウンロードするようにしてもよい。続いて背景画像を選択する（Ｓ６０２）。この時の背景は予めサーバー側で用意してあるものから選ぶか、通信端末内に保存されてあるカメラ等で撮影された画像データを使うこともできる。
【００４６】
続いて、受信者２へ送信したい文字データを、入力手段１０３を用いて入力する（Ｓ６０３）。ここで入力する文字データは、後に作成される文字アニメーション動画ファイルの容量や画面サイズの制約上、１５文字以内程度のあまり長くない文字データが望ましい。このときの字数はアプリケーション側で制限をかけることができる。
【００４７】
その後、アニメーションパターンを選択する（Ｓ６０４）。アニメーションパターンは予めいくつか用意しておき、その中から選択できる。さらに、必要があれば文字アニメーションの他にメッセージを添えることができる（Ｓ６０５）。入力画面のイメージは図１０のようになる。
【００４８】
入力が全て完了したら（Ｓ６０６）、通信手段１０２を用いてデータをサーバー５００へ送信する（Ｓ６０７）。このとき、入力の完了を確認しやすくするためにプレビュー画面で作成した映像を確認できるようにしてもよい。また、今まで入力したデータを保存できるようにしてもよい。
【００４９】
発明の実施の形態３．
図４におけるサーバー５００の処理の代わりに図７におけるサーバー５００の処理を、図５における通信端末２００の処理の代わりに図８における通信端末２００の処理を利用した例である。この場合、通信端末２００はＨＴＭＬファイル経由でサーバーにアクセスするのではなく、サーバー５００から直接動画ファイルを受信する方法を取る。
【００５０】
データを受信して文字がアニメーションする動画ファイルを作成する手順は本発明の実施の形態１と同様（Ｓ５０１〜Ｓ５０３）なので説明を省略する（Ｓ７０１〜Ｓ７０３）。その後、サーバー５００内の制御手段５０１はＨＴＭＬファイルを作成せずに、作成されたフラッシュファイルを添付したメールを作成し（Ｓ７０４）、通信手段５０２が通信端末２００にメールを送信する（Ｓ７０５）。
【００５１】
通信端末２００は通信手段２０２によってメールを受信すると（Ｓ８０１）、受信したメールの添付ファイルに動画再生手段２０５で再生可能な動画データが添付されている。動画再生手段２０５は、添付された動画データを再生し出力手段２０４に出力する（Ｓ８０２）。これにより受信者２は通信端末２００上で文字がアニメーションする動画を見ることができる。
【００５２】
その他の発明の実施の形態．
上述の例では、アニメーションパターン決定時に、電子メールの本文のテキストからキーワードを抽出して決定していたが、これを、パターン番号などを決めて、電子メール本文などに直接入力できるようにしてもよい。
また、上述の例では、単一のサーバーで全て処理していたが、複数のサーバーでそれぞれ処理を行うようにしてもよい。
また、上述の例では、文字がアニメーションする映像の動きのみだったが、これに音楽や効果音などが鳴るようにしてもよい。
【図面の簡単な説明】
【００５３】
【図１】本発明の全体構成例を示す図である。
【図２】本発明にかかる通信端末及びサーバーの構成を示すブロック図である。
【図３】本発明にかかる通信端末の送信時の処理フローを示すフローチャートである。
【図４】本発明にかかるサーバーの処理フローを示すフローチャートである。
【図５】本発明にかかる通信端末の受信時の処理フローを示すフローチャートである。
【図６】本発明にかかる通信端末の送信時の処理フローを示すフローチャートである。
【図７】本発明にかかるサーバーの処理フローを示すフローチャートである。
【図８】本発明にかかる通信端末の受信時の処理フローを示すフローチャートである。
【図９】本発明にかかる通信端末の送信画面のイメージ図である。
【図１０】本発明にかかる通信端末のデータ入力画面のイメージ図である。
【符号の説明】
【００５４】
１  送信者
２  受信者
１００  通信端末
１０１  制御手段
１０２  通信手段
１０３  入力手段
１０４  出力手段
２００  通信端末
２０１  制御手段
２０２  通信手段
２０３  入力手段
２０４  出力手段
２０５  動画再生手段
５００  サーバー
５０１  制御手段
５０２  通信手段
５０３  データ作成手段
５０４  記憶手段
【図１】
2005173792.tif 000003
【図２】
2005173792.tif 000004
【図３】
2005173792.tif 000005
【図４】
2005173792.tif 000006
【図５】
2005173792.tif 000007
【図６】
2005173792.tif 000008
【図７】
2005173792.tif 000009
【図８】
2005173792.tif 000010
【図９】
2005173792.tif 000011
【図１０】
2005173792.tif 000012